(57)【特許請求の範囲】
【請求項１】
オゾンにより殺菌した布団を布団パックにより圧縮して保管する布団の殺菌保管方法であって、布団を収容可能なパック本体とこのパック本体の異なる位置に設けた逆止弁付きの排気口及び開閉弁付きの給気口を有する布団パックを用い、この布団パックに布団を収容し、かつ前記給気口にオゾン供給機を接続するとともに、前記排気口に電気掃除機を接続し、前記開閉弁を閉じた後、前記電気掃除機を作動させて前記パック本体内の吸気を行うとともに、この後、前記電気掃除機を停止させ、かつ前記オゾン供給機のオゾン発生部によりオゾンを発生させるとともに、前記開閉弁を開いて前記パック本体内にオゾンを供給し、この後、前記開閉弁を閉じ、所定期間放置した後、前記電気掃除機を作動させて前記パック本体内の吸気を行うことにより前記布団を圧縮するとともに、この後、前記排気口から前記電気掃除機の接続を解除し、かつ前記給気口から前記オゾン供給機の接続を解除することにより殺菌した布団を布団パックにより保管することを特徴とする布団の殺菌保管方法。
【発明の詳細な説明】
【技術分野】
【０００１】
本発明は、布団をオゾンにより殺菌して保管する際に用いて好適な布団の殺菌保管方法に関する。
【背景技術】
【０００２】
従来、オゾンにより布団を殺菌処理する殺菌処理装置としては、特開２０００−１７６１９９号公報で開示される温風布団乾燥機が知られている。
【０００３】
同公報で開示される温風布団乾燥機（殺菌処理装置）は、温風発生器により発生させた温風と、オゾン発生器により発生させたオゾンガスとを乾燥庫の下部にある送風口より乾燥庫の内部に送風して循環させると同時に、この乾燥庫の内部で循環している温風及びオゾンガスを乾燥庫の上部にある回収口より回収し、冷凍除湿機を構成する蒸発器を通過させ、さらに凝縮器を通過させて再び温風発生器により発生させた温風と、オゾン発生器により発生させたオゾンガスと共に乾燥庫の内部に送風して循環させるようにしたものである。
【特許文献１】特開２０００−１７６１９９号
【発明の開示】
【発明が解決しようとする課題】
【０００４】
しかし、上述した従来の布団用殺菌処理装置（温風布団乾燥機）は、次のような問題点があった。
【０００５】
第一に、布団を乾燥庫内に掛けて収容する方法のため、装置全体の大型化及び構成の複雑化により、保管時や設置時の占有スペースが大きく取られ、省スペース性に難があるとともに、大幅なコストアップを招いてしまう。
【０００６】
第二に、乾燥庫内に掛けた布団に対してオゾンを流通させる方法のため、布団の内部までオゾンが浸透しにくく、十分な殺菌処理が行われない虞れがあるとともに、他方、十分な殺菌処理を行うには長時間の処理が必要になるなど、信頼性及び処理効率に難があり、しかも消費電力の増加により経済性及び省エネルギ性にも劣る。
【０００７】
第三に、商用的に利用できるとしても家庭用には不向きとなり、汎用性に劣るとともに、単なる殺菌処理の域を出ないため、利便性及びコストパフォーマンスに劣る。
【０００８】
本発明は、このような背景技術に存在する課題を解決した布団の殺菌保管方法の提供を目的とするものである。
【課題を解決するための手段】
【０００９】
本発明は、上述した課題を解決するため、オゾンＧにより殺菌した布団Ｆを布団パックにより圧縮して保管する布団の殺菌保管方法であって、布団Ｆを収容可能なパック本体３とこのパック本体３の異なる位置に設けた逆止弁４ｖｓ（弁４ｖ）付きの排気口４及び開閉弁５ｖｓ（弁５ｖ）付きの給気口５を有する布団パック２を用い、この布団パック２に布団Ｆを収容し、かつ給気口５にオゾン供給機６を接続するとともに、排気口４に電気掃除機１１を接続し、開閉弁５ｖｓを閉じた後、電気掃除機１１を作動させてパック本体３内の吸気を行うとともに、この後、電気掃除機１１を停止させ、かつオゾン供給機６のオゾン発生部７によりオゾンＧを発生させるとともに、開閉弁５ｖｓを開いてパック本体３内にオゾンＧを供給し、この後、開閉弁５ｖｓを閉じ、所定期間Ｔｐ放置した後、電気掃除機１１を作動させてパック本体３内の吸気を行うことにより布団Ｆを圧縮するとともに、この後、排気口４から電気掃除機１１の接続を解除し、かつ給気口５からオゾン供給機６の接続を解除することにより殺菌した布団Ｆを布団パック２により保管するようにしたことを特徴とする。
【発明の効果】
【００１０】
このような構成を有する本発明に係る布団の殺菌保管方法によれば、次のような顕著な効果を奏する。
【００１１】
（１）  布団パック２とオゾン供給機６を利用するため、装置全体のシンプル化及び小型コンパクト化を図ることができる。したがって、保管時の占有スペースが僅かで足り、省スペース性に優れるとともに、コストダウンを図ることができる。
【００１２】
（２）  布団パック２により布団Ｆを圧縮した後にオゾンＧを供給できるため、オゾンＧを布団Ｆの内部まで浸透させることができ、十分な殺菌処理を行うことができるとともに、殺菌処理の時間短縮を図ることができる。したがって、信頼性及び処理効率を高めることができるとともに、経済性及び省エネルギ性を高めることができる。
【００１３】
（３）  布団パック２を直接的に利用するため、殺菌処理が終了した後、布団Ｆを使用しないときは、無菌状態の布団Ｆをそのまま布団パック２によりパックして保管できるなど、利便性及びコストパフォーマンスに優れ、また、汎用性に優れることから家庭用に用いて好適となる。特に、保管は、無菌状態の布団Ｆをパックできるため、布団パック２内おける細菌，かびやダニ等の繁殖を有効に防止できる。
【００１４】
（４）  排気口４を、電気掃除機１１により吸引するため、別途の吸引装置が不要になるため、更なる低コスト性，汎用性及び利便性の向上に寄与できる。
【００１５】
（５）  排気口４の弁４ｖには、当該排気口４の外部から内部への流入を遮断する逆止弁４ｖｓを用いたため、排気口４側の弁操作を行うことなく目的の殺菌処理を容易に実施できる。
【００１６】
（６）  給気口５の弁５ｖには、当該給気口５を開閉する開閉弁５ｖｓを用いたため、給気口５側の弁操作を行うことにより目的の殺菌処理を確実に実施できる。
【発明を実施するための最良の形態】
【００１７】
次に、本発明に係る最良の実施形態を挙げ、図面に基づき詳細に説明する。
【００１８】
まず、本実施形態に係る布団の殺菌保管方法に用いる布団用殺菌処理装置１の構成について、図１〜図４を参照して説明する。
【００１９】
布団用殺菌処理装置１は、大別して、布団パック２とオゾン供給機６を備える。布団パック２は、図１に示すように、布団Ｆを収容可能なパック本体３と、このパック本体３の異なる位置に設けた弁４ｖ付きの排気口４及び弁５ｖ付きの給気口５を有する。
【００２０】
この場合、パック本体３は、シート材により矩形の袋状に形成し、図に現れない出入口を有する。これにより、布団Ｆは、パック本体３の出入口を通してパック本体３の内部に収容できるとともに、出入口を封止してパック本体３を完全密閉することができる。また、排気口４は、パック本体３の隅部の近傍に設けるとともに、排気口４には、弁４ｖとして、排気口４の外部から内部への流入を遮断する逆止弁４ｖｓを付設する。このような逆止弁４ｖｓを用いれば、排気口４側の弁操作を行うことなく目的の殺菌処理を容易に実施できる。この排気口４は、電気掃除機（家庭用電気掃除機）１１から吸引可能に構成する。したがって、電気掃除機１１の吸込口１２と排気口４は、別途用意した接続ホース６１により接続することができる。電気掃除機１１を利用可能にすることにより、別途の吸引装置が不要になるため、低コスト性，汎用性及び利便性の向上に寄与できる。
【００２１】
さらに、給気口５は、パック本体３の隅部であって、排気口４に対して対角線反対側の隅部の近傍に設けるとともに、給気口５には、弁５ｖとして、給気口５を開閉する開閉弁５ｖｓを付設する。この開閉弁５ｖｓは、操作ハンドル２１を有し、この操作ハンドル２１を回し操作することにより給気口５を全閉又は全開できる。なお、給気口５の弁５ｖは、開閉弁５ｖｓの代わりに開度調整弁を用いてもよい。この開度調整弁は、給気口５の全閉又は全開に加えて給気口５の開度を調整することができる。このような開閉弁５ｖｓ又開度調整弁５ｖｓを用いれば、給気口５側の弁操作を行うことにより目的の殺菌処理を確実に実施できる。
【００２２】
このように、布団パック２は、一般的な公知の布団パックに対して、新たに開閉弁５ｖｓを有する給気口５を追加した構成となり、開閉弁５ｖｓを閉側に操作し、給気口５を完全に閉じた状態では、一般的な公知の布団パックと同一の構成となる。したがって、パック本体３の出入口からパック本体３の内部に布団Ｆを収容し、パック本体３の出入口を封止した後、排気口４から電気掃除機１１により吸引すれば、パック本体３を吸引圧縮することができるため、一般的な公知の布団パックと同様に布団Ｆを圧縮して保管することができる。なお、パック本体３における排気口４及び給気口５を設ける位置は、例示の位置に限定されるものではない。
【００２３】
他方、オゾン供給機６は、布団パック２に設けた給気口５にオゾンＧを供給する機能を有する。オゾン供給機６は、図２及び図３に示すように、密閉されたケーシング３１を有し、このケーシング３１の内部に、オゾンＧを発生させるオゾンランプ３２を用いたオゾン発生部７を配設する。オゾンランプ３２には、例えば、短波長殺菌ランプを用いることができる。短波長殺菌ランプは、空気殺菌や脱臭に有効な殺菌紫外線２５３．７〔ｎｍ〕及びオゾン生成作用をもつ１８５〔ｎｍ〕の紫外線を発光する。したがって、これらの紫外線を透過する石英ガラスを有している。
【００２４】
一方、ケーシング３１の前面には、オゾン発生部７により発生させたオゾンＧを流出するオゾン流出口（接続口）３３を設けるとともに、ケーシング３１の内部には、オゾン流出口３３に連通する流出量調整部３４を配設する。流出量調整部３４は、ケーシング３１の上面に配した調整ハンドル３５を回し操作することにより、オゾン流出口３３から流出するオゾンＧの流出量を０から最大まで無段階で調整することができる。オゾン流出口３３と給気口５は、別途用意した接続ホース６２により接続することができる。
【００２５】
また、ケーシング３１の後面には、外部の空気をケーシング３１の内部に取り入れる空気流入口３６を設けるとともに、この空気流入口３６には埃等の内部への進入を阻止するフィルタ３７を付設する。さらに、流出量調整部３４とオゾンランプ３２間には前遮光プレート３８を配設して、オゾンランプ３２から発する紫外線がオゾン流出口３３から外部に漏れないようにするとともに、空気流入口３６とオゾンランプ３２間には後遮光プレート３９を配設して、オゾンランプ３２から発する紫外線が空気流入口３６から外部に漏れないようにする。なお、４０はケーシング３１の上面に設けた取手部を示す。
【００２６】
図４は、オゾン供給機６における電気系の構成を示している。図４において、３２は上述したオゾンランプである。５１は安定器、５２はグロースタータ，５３は電源スイッチ，５４は作動ランプ，５５は電源プラグをそれぞれ示し、各部は図４に示すように結線する。なお、電源スイッチ５３及び作動ランプ５４は、図３に示すように、ケーシング３１の上面に配設する。
【００２７】
次に、このように構成する布団用殺菌処理装置１の使用方法及び動作を含む本実施形態に係る布団の殺菌保管方法について、図６に示す作用説明図を参照しつつ図５に示すフローチャートに従って説明する。
【００２８】
まず、図１に仮想線で示すように、布団パック２のパック本体３に布団Ｆを収容して封止する。また、図１に示す矢印Ｄｓ，Ｄｏのように、布団パック２の排気口４と電気掃除機１１の吸込口１２を、別途用意した接続ホース６１により接続するとともに、布団パック２の給気口５とオゾン供給機６のオゾン流出口３３を、別途用意した接続ホース６２により接続する（ステップＳ１）。この状態を図６（ａ）に示す。
【００２９】
そして、布団パック２における給気口５の開閉弁５ｖｓを全閉にし、電気掃除機１１を作動させる（ステップＳ２）。電気掃除機１１を作動させることにより、パック本体３に対する吸気が行われ、パック本体３は圧縮される。この状態を図６（ｂ）に示す。これにより、十分な吸気が行われたなら、電気掃除機１１の作動を停止させるとともに、オゾン供給機６を作動させる（ステップＳ３，Ｓ４）。この場合、電気掃除機１１の作動を停止させても、給気口５の開閉弁５ｖｓは全閉にしてあるため、逆止弁４ｖｓの作用によりパック本体３の圧縮した状態が維持される。また、オゾン供給機６を作動させることにより、オゾンランプ３２が点灯し、ケーシング３１内において空気殺菌作用及び消臭作用のあるオゾンが生成される。なお、オゾン供給機６の作動は、この時点で作動させてもよいし、上述した電気掃除機１１の作動と同時に作動させるなど、予め作動させておいてもよい。予め作動させることにより、オゾン供給機６のケーシング３１内に、ある程度のオゾンＧを事前に満たしておくことができる。
【００３０】
次いで、布団パック２における給気口５の開閉弁５ｖｓを開く（ステップＳ５）。開閉弁５ｖｓを開くことにより、パック本体３の内部は負圧となっているため、いわば自動でオゾン供給機６側のオゾンＧがパック本体３の内部に供給される。この状態を図６（ｃ）に示す。なお、オゾン供給機６の流出量調整部３４によりオゾンＧの流出量、即ち、パック本体３に対するオゾンＧの供給流量を調整することができる。したがって、調整ハンドル３５を回し操作し、オゾンＧの供給流量を小さくすれば、パック本体３に供給されるオゾンＧの濃度を濃くできるとともに、オゾンＧの供給流量を大きくすれば、パック本体３に供給されるオゾンＧの濃度を薄くできる。
【００３１】
一方、パック本体３の内部に所定量のオゾンＧが供給されたなら、給気口５の開閉弁５ｖｓを全閉にし、オゾン供給機６の作動を停止させた後、所定時間（所定期間）Ｔｐだけ放置する（ステップＳ６，Ｓ７）。この場合、所定量のオゾンＧとは、パック本体３の内部に、ある程度の負圧が残留する程度が望ましい。これにより、逆止弁４ｖｓを閉じた状態に維持できるため、パック本体３の内部への外気の進入を阻止できる。また、放置する所定時間Ｔｐは、いわば殺菌処理時間であり、布団Ｆの使用状態等に応じて任意に選定できる。したがって、例えば、数時間でもよいし数日程度でもよい。
【００３２】
このように、布団パック２により布団Ｆを圧縮した後にオゾンＧを供給するため、オゾンＧを布団Ｆの内部まで浸透させることができ、十分な殺菌処理を行うことができるとともに、殺菌処理の時間短縮を図ることができる。したがって、信頼性及び処理効率を高めることができるとともに、経済性及び省エネルギ性を高めることができる。
【００３３】
そして、所定時間Ｔｐの経過により布団Ｆに対する殺菌処理が終了する。殺菌処理の終了により、布団Ｆは、そのまま布団パック２から取り出して使用することができるとともに、布団パック２にパックして保存することができる。したがって、布団パック２は、本来の布団パックとしての機能と殺菌処理用の容器として機能を兼用することになる。
【００３４】
布団Ｆを使用する場合には、給気口５の開閉弁５ｖｓを開き、さらに、布団パック２の排気口４に対する電気掃除機１１の接続を解除するとともに、布団パック２の給気口５に対するオゾン供給機６の接続を解除した後、パック本体３の出入口の封止を解除すれば、殺菌された布団Ｆを取り出すことができる。これに対して、布団Ｆを使用せずに保管する場合には、上述した所定時間Ｔｐが経過した後、そのままの状態で電気掃除機１１を作動させればよい（ステップＳ８）。これにより、パック本体３内の吸気が行われ、パック本体３が圧縮される。この状態を図６（ｄ）に示す。そして、十分に圧縮されたなら、電気掃除機１１の作動を停止させ、さらに、布団パック２の排気口４に対する電気掃除機１１の接続を解除するとともに、布団パック２の給気口５に対するオゾン供給機６の接続を解除する（ステップＳ９，Ｓ１０）。これにより、無菌状態の布団Ｆを、一般的な布団パック２と同様にパックして保管することができる。
【００３５】
このように、本実施形態に係る布団の殺菌保管方法によれば、布団パック２を直接的に利用するため、殺菌処理が終了した後、布団Ｆを使用しないときは、無菌状態の布団Ｆをそのまま布団パック２によりパックして保管できるなど、利便性及びコストパフォーマンスに優れ、また、汎用性に優れることから家庭用に用いて好適となる。特に、保管は、無菌状態の布団Ｆをパックできるため、布団パック２内おける細菌，かびやダニ等の繁殖を有効に防止できる。しかも、布団パック２とオゾン供給機６を利用するため、装置全体のシンプル化及び小型コンパクト化を図ることができる。したがって、保管時の占有スペースが僅かで足り、省スペース性に優れるとともに、大幅なコストダウンを図ることができる。
【００３６】
以上、最良の実施形態について詳細に説明したが、本発明は、このような実施形態に限定されるものではなく、細部の構成，形状，素材，手法等において、本発明の要旨を逸脱しない範囲で、任意に変更，追加，削除することができる。
【００３７】
例えば、給気口５の弁５ｖとして、当該給気口５の開度を調整する開度調整弁５ｖｓを用いた場合には、オゾン供給機６側の流出量調整部３４は不要となる。したがって、流出量調整部３４は必ずしも設けることを要しない。また、電気掃除機１１の代わりに専用の吸引装置を用いてもよいし、布団パックＦの代わりに専用のパックを用いてもよい。さらに、オゾン供給機６におけるケーシング３１の内部に、オゾン流出口３３からオゾンＧを強制的に放出するファンを設けてもよい。なお、本発明における「布団」は、掛布団や敷布団の他、毛布，座布団，マット，枕等の各種の類似物品を含む概念である。
【図面の簡単な説明】
【００３８】
【図１】本発明の最良の実施形態に係る布団の殺菌保管方法を実施できる布団用殺菌処理装置の全体構成図、
【図２】同布団用殺菌処理装置に用いるオゾン供給機の内部構成図、
【図３】同布団用殺菌処理装置に用いるオゾン供給機の外観斜視図、
【図４】同布団用殺菌処理装置に用いるオゾン供給機の電気系回路図、
【図５】同布団用殺菌処理装置の使用方法を含む布団の殺菌保管方法を説明するためのフローチャート、
【図６】同布団用殺菌処理装置の作用説明図、
【符号の説明】
【００３９】
１：布団用殺菌処理装置，２：布団パック，３：パック本体，４：排気口，４ｖ：弁，４ｖｓ：逆止弁，５：給気口，５ｖ：弁，５ｖｓ：開閉弁，６：オゾン供給機，７：オゾン発生部，１１：電気掃除機，Ｆ：布団，Ｇ：オゾン
【図１】
0004542504.tif 000002
【図２】
0004542504.tif 000003
【図３】
0004542504.tif 000004
【図４】
0004542504.tif 000005
【図５】
0004542504.tif 000006
【図６】
0004542504.tif 000007